(57)【要約】【課題】双方向通信が可能なＣＡＴＶシステムにおいてセンター装置に番組時間情報送出装置を備え、端末装置において前記番組時間情報を利用して番組の経過時間や、残り時間を表示可能なＶＯＤシステムを提供することを目的とする。【解決手段】放送用ＱＡＭ変調器と、下りデータ通信用ＱＰＳＫ変調器と、上りデータ通信用ＱＰＳＫ復調器と、ビデオサーバーと、番組時間情報送出装置とを備え、番組時間情報送出装置がビデオサーバーに保管されている番組のトータル時間を記録したテーブルを持ち、リクエストされた番組とともに該当の番組時間情報を送出することにより端末装置において番組の時間情報を表示可能とすることができる。【選択図】図１
2005057564.tif 000002
【特許請求の範囲】
【請求項１】
ＲＦ周波数帯域を持つ放送用ＱＡＭ変調器と、端末コントロール装置から端末装置の通信を行うための下りデータ通信用ＱＰＳＫ変調器と、端末装置から端末コントロール装置への送信されたＱＰＳＫ送信波を復調しデータを取り出すための上りデータ通信ＱＰＳＫ復調器と、前記各機器から出力される信号を混合分配するための混合分配器を含むセンター装置と、前記各機器および端末装置を制御するためのシステム制御装置と、前記センター装置との間で上り及び下りデータ通信を利用して通信可能な端末装置と、光ケーブル、または同軸幹線アンプとを備えた双方向ＣＡＴＶシステムにおいて、視聴者からのリクエストに応じて特定の番組を供給するビデオサーバーと、ビデオサーバーから供給された番組を送出するためＶＯＤ用ＱＡＭ変調器と、視聴者からリクエストが発生したことを基に端末装置において時間情報を表示するための番組の開始から終了までの時間情報を送出する番組時間情報送出装置とを備えたＶＯＤシステム。
【請求項２】
前記ＶＯＤシステムにおけるセンター装置との間で双方向通信を可能とするフロントエンド回路と、画像表示回路を含む端末装置全体を制御するバックエンド回路を有する双方向ＣＡＴＶ端末用回路を備えた端末装置において、番組時間情報送出装置から送出された番組時間情報を記録するための番組時間情報記録回路と、視聴者からリクエストされた時間を決めるためのＰＴＳを記録するためのリクエストＰＴＳ記録回路と、前記番組時間情報と前記リクエストＰＴＳから再生経過時間や残り時間を計算するための時間演算回路とを備えた請求項１に記載の端末装置。
【発明の詳細な説明】
【技術分野】
【０００１】
本発明は双方向ＣＡＴＶシステムにおいて使用されるＶＯＤシステムおよび端末装置に関するものである。
【背景技術】
【０００２】
従来の双方向ＣＡＴＶシステムにおいて活用されていたＶＯＤシステムでは、一時停止、早送り、巻き戻し等の動作を可能としていたが、要求した映像のみであり、再生経過時間や残り時間を表示することができなかった。また、端末装置におけるセンター装置への送信情報、再生、停止、一時停止、早送り、巻き戻し、を送信するのみで、端末装置において時間表示するための時間情報の取得は実施されていなかった（例えば特許文献１参照）。
【特許文献１】特開２０００−３５８２３２号公報
【発明の開示】
【発明が解決しようとする課題】
【０００３】
しかしながら、前記従来の構成では映像のみが送出され、視聴者には再生経過時間や残り時間が分からないという課題を有していた。
【０００４】
本発明は、前記従来の課題を解決するもので、番組時間情報を送出し、端末装置において前記、番組時間情報と自己の保有するリクエスト情報から、映像と同時に経過時間や残り時間を表示可能とすることを目的とする。
【課題を解決するための手段】
【０００５】
前記課題を解決するために、本発明のＶＯＤシステムは、番組時間送出装置を有し、端末装置のリクエストに応じて番組時間を送出するものである。
【０００６】
また、端末装置においては、前記番組時間送出装置から送出された番組時間情報を記録するための番組時間情報記録回路、視聴者からリクエストされた時間を決めるためのＰＴＳを記録するためのリクエストＰＴＳ記録回路、前記番組時間情報と前記リクエストＰＴＳから再生経過時間や残り時間を計算するための時間演算回路を備えるものである。
【発明の効果】
【０００７】
以上のように構成された本発明のＶＯＤシステムによれば、リクエストした番組とともに番組の時間情報や経過時間、残り時間等を表示することを可能とすることができる。
【発明を実施するための最良の形態】
【０００８】
以下本発明の実施の形態について、図面を参照しながら説明する。
【０００９】
（実施の形態１）
図１は本発明の実施の形態１におけるＶＯＤシステムのブロック図である。
【００１０】
放送用ＱＡＭ変調器１は衛星から取得したデジタル放送用の信号源やアナログ信号をデジタル化した信号源を放送としてＱＡＭ変調し、番組として送出するためのものであり、また下りデータ通信用ＱＰＳＫ変調器３はシステム制御装置５から端末装置１０を制御するための端末制御データや番組時間情報送出装置１１から送出された番組時間情報をＱＰＳＫ変調し、送出するためのものである。上りデータ通信用ＱＰＳＫ復調器は端末装置１０からＱＰＳＫ変調されて送出されたリクエストデータ等を復調し、制御装置５へ送る。ビデオサーバー６は端末装置１０からリクエストされた情報を元に該当の番組を送出し、専用のＶＯＤ用ＱＡＭ変調器でＱＡＭ変調し、番組として送出するものである。番組時間情報送出装置１１はビデオサーバー６に保管されている番組のトータル時間を記録したテーブルを持ち、リクエストされた番組とともに該当の番組時間情報を送出する。
【００１１】
このような構成によれば、端末装置１０において番組の時間情報を表示可能とすることができる。
【００１２】
（実施の形態２）
図２は本発明の実施の形態２における端末装置のブロック図である。
【００１３】
双方向ＣＡＴＶ用端末回路１３には前記センター装置において放送番組がＱＡＭ変調され送出されたＱＡＭ信号や下りデータ信号がＱＰＳＫ変調され送出されたＱＰＳＫ信号が混合された入力信号１２を復調するためのＱＡＭ、ＱＰＳＫ復調や、センター装置へリクエストデータ等を送出するためにＱＰＳＫ変調を行うＱＰＳＫ変調の回路を備えるフロントエンド回路１４、前記フロントエンド回路１４で復調されたデータからＭＰＥＧ復調し、映像出力信号１６として出力するための回路や時間情報表示するためのグラフィック回路、および端末装置全体を制御するためのＣＰＵを含むバックエンド回路１５を有するものである。リクエストＰＴＳ記録回路１７は前記バックエンド回路１５から生成されたＰＴＳ情報を記録し時間演算回路１８へ渡す。時間演算回路１８は前記ＰＴＳ情報と番組時間情報から番組経過時間や残り時間を演算するものである。
【図面の簡単な説明】
【００１４】
【図１】本発明の実施形態におけるＶＯＤシステムのブロック図
【図２】本発明の実施形態における端末装置のブロック図
【符号の説明】
【００１５】
１    放送用ＱＡＭ変調器
２    ＶＯＤ用ＱＡＭ変調器
３    下りデータ通信用ＱＰＳＫ変調器
４    上りデータ通信用ＱＰＳＫ復調器
５    システム制御装置
６    ビデオサーバー
７    放送用映像信号
８    混合分配器
９    光ケーブル、および同軸幹線アンプ
１０    端末装置
１１    番組時間情報送出装置
１２    入力信号
１３    双方向ＣＡＴＶ端末用回路
１４    フロントエンド回路
１５    バックエンド回路
１６    映像出力信号
１７    リクエストＰＴＳ記録回路
１８    時間演算回路
【図１】
2005057564.tif 000003
【図２】
2005057564.tif 000004